(57)【要約】【課題】所望の画像が含まれた複数の画像を一組の情報として記録できるようにする。【解決手段】左画面部５に表示されたプレビュー画像Ｐ１、Ｐ２、Ｐ３を含むレイアウト画像において、いずれかのプレビュー画像Ｐ１、Ｐ２、Ｐ３が選択されたか否かを判断する（ステップＳ１１９）。プレビュー画像Ｐ１が選択されたとすると、このプレビュー画像Ｐ１の時間的に前後の動画フレーム画像右画面部５２に一覧表示する（ステップＳ１２０）。この一覧表示されたフレーム画像からいずれかが選択されると（ステップＳ１２３；ＹＥＳ）、レイアウト画像内のステップＳ１１９で選択された画像をステップＳ１２３で選択された動画フレーム画像に変更する（ステップＳ１２４）。これにより、所望の画像が含まれた複数の画像からなるレイアウト画像を一組の情報として記録することができる。【選択図】図３
2008211705.tif 000002
【特許請求の範囲】
【請求項１】
撮像手段と、
この撮像手段により撮像される画像の記録を指示する指示手段と、
この指示手段により記録が指示された複数の画像を一組の情報として記録するように設定する設定手段と、
この設定手段による設定の後、前記指示手段により画像の記録が指示される毎に撮像される画像を一組の情報として記録する第１の記録手段と、
前記設定手段による設定の後、前記撮像手段により撮像される画像を順次記録する第２の記録手段と、
前記第１の記録手段、および、前記第２の記録手段による記録の後、前記第１の記録手段によって記録された画像に代えて、前記第２の記録手段によって順次記録された画像の何れかを記録するように制御する記録制御手段と
を備えることを特徴とする撮像装置。
【請求項２】
前記第１の記録手段によって記録された複数の画像から特定の画像を選択する第１の選択手段を更に備え、
前記記録制御手段は、前記第１の選択手段により選択された特定の画像に代えて、前記第２の記録手段によって順次記録された画像の何れかを記録するように制御することを特徴とする請求項１記載の撮像装置。
【請求項３】
前記撮像手段により撮像される画像について、この画像が撮像されたときの時間情報を取得し、前記撮像された画像と対応付ける時間情報取得手段を更に備え、
前記記録制御手段は、前記時間情報取得手段によって取得された時間情報に基づいて、前記順次記録された画像から前記特定の画像に代えて記録すべき画像を選択して記録するように制御することを特徴とする請求項２記載の撮像装置。
【請求項４】
前記第２の記録手段によって順次記録された画像から特定の画像を選択する第２の選択手段を更に備え、
前記記録制御手段は、前記第１の記録手段によって記録された画像に代えて、前記第２の選択手段により選択された特定の画像を記録するように制御することを特徴とする請求項１に記載の撮像装置。
【請求項５】
前記撮像手段により撮像される画像について、この画像が撮像されたときの時間情報を取得し、前記撮像された画像と対応付ける時間情報取得手段を更に備え、
前記記録制御手段は、前記時間情報取得手段によって取得された時間情報に基づいて、前記第１の記録手段によって記録された複数の画像から前記特定の画像に代えて記録されるべき画像を選択して記録するように制御することを特徴とする請求項４記載の撮像装置。
【請求項６】
前記第１の記録手段によって記録された複数の画像を、撮像されたときの時間情報に基づいてレイアウト表示する表示手段と、
前記記録制御手段によって記録される画像に時間情報が対応付けられているときは、この時間情報に基づいて前記表示されたレイアウトを変更するよう制御する表示制御手段と
を更に備えることを特徴とする請求項１乃至５のいずれかに記載の撮像装置。
【請求項７】
撮像装置が有するコンピュータを、
撮像される画像の記録を指示する指示手段、
この設定手段による設定の後、前記指示手段により画像の記録が指示される毎に撮像される画像を一組の情報として記録させる第１の記録手段、
前記設定手段による設定の後、撮像される画像を順次記録させる第２の記録手段、
前記第１の記録手段、および、前記第２の記録手段による記録の後、前記第１の記録手段によって記録された画像に代えて、前記第２の記録手段によって順次記録された画像の何れかを記録するように制御する記録制御手段
として機能させることを特徴とする記録制御プログラム。
【発明の詳細な説明】
【技術分野】
【０００１】
本発明は、被写体を撮像する撮像装置、及び、記録制御プログラムに関する。
【背景技術】
【０００２】
従来、撮像した画像を所望の配置にレイアウトして記録することが可能なデジタルカメラが提案されるに至っている。このデジタルカメラにおいて、レイアウト画像を作成するに際しては、アルバム作成モードを設定した後、予め記録媒体に記録されているテンプレートのうち、ユーザが所望するものを選択する。次に、当該デジタルカメラで撮影して記録されている撮影画像の中から前記テンプレートに挿入する任意の画像を選択すると、前記テンプレート中に選択された画像が挿入されて前記記録媒体に記録される。したがって、所望の画像がテンプレートに挿入されてレイアウトされたレイアウト画像を、当該デジタルカメラ単体で作成することができるという利便性が得られるものである（特許文献１参照）。
【特許文献１】特開２００５−１７６２１６号公報
【発明の開示】
【発明が解決しようとする課題】
【０００３】
しかしながら、前述した従来のデジタルカメラにあっては、先ず被写体を撮影して記録し、しかる後に、記録されている複数の数の画像の中から、所望の画像を選択しなければならない。したがって、ユーザは、被写体を撮像して記録する作業と、記録した多数の画像の中から所望の画像を取捨選択する煩雑な作業とを強いられるばかりでなく、選択に際しては、組み合わせた場合のレイアウトや組み合わせる画像相互の関係を想定（イメージ）して、適切な画像を選択する困難な作業が強いられることとなる。
【０００４】
そこで、撮影時において当該撮影された画像を順次テンプレート中にレイアウトして記録することが考えられる。このようにすれば、前述した撮影後の煩雑な作業や困難な作業を強いられる不都合は解消することはできる。しかし、このように撮影時において撮影された画像をレイアウトすると、特にレイアウトされる画像が時系列的な変化を伴う場合、シャッターチャンスを逃してしまうと、所望の画像をレイアウトしたレイアウト画像を得ることが不可能となってしまう。
【０００５】
本発明は、かかる従来の課題に鑑みてなされたものであり、所望の画像を他の画像と組にして再記録できるようにした撮像装置、及び、記録制御プログラムを提供することを目的とする。
【課題を解決するための手段】
【０００６】
前記課題を解決するため請求項１記載の発明にあっては、撮像手段と、この撮像手段により撮像される画像の記録を指示する指示手段と、この指示手段により記録が指示された複数の画像を一組の情報として記録するように設定する設定手段と、この設定手段による設定の後、前記指示手段により画像の記録が指示される毎に撮像される画像を一組の情報として記録する第１の記録手段と、前記設定手段による設定の後、前記撮像手段により撮像される画像を順次記録する第２の記録手段と、前記第１の記録手段、および、前記第２の記録手段による記録の後、前記第１の記録手段によって記録された画像に代えて、前記第２の記録手段によって順次記録された画像の何れかを記録するように制御する記録制御手段とを備えることを特徴とする。
【０００７】
また、請求項２記載の発明は、上記請求項１の発明において、前記第１の記録手段によって記録された複数の画像から特定の画像を選択する第１の選択手段を更に備え、前記記録制御手段は、前記第１の選択手段により選択された特定の画像に代えて、前記第２の記録手段によって順次記録された画像の何れかを記録するように制御することを特徴とする。
【０００８】
また、請求項３記載の発明は、上記請求項２の発明において、前記撮像手段により撮像される画像について、この画像が撮像されたときの時間情報を取得し、前記撮像された画像と対応付ける時間情報取得手段を更に備え、前記記録制御手段は、前記時間情報取得手段によって取得された時間情報に基づいて、前記順次記録された画像から前記特定の画像に代えて記録すべき画像を選択して記録するように制御することを特徴とする。
【０００９】
また、請求項４記載の発明は、上記請求項１の発明において、前記第２の記録手段によって順次記録された画像から特定の画像を選択する第２の選択手段を更に備え、前記記録制御手段は、前記第１の記録手段によって記録された画像に代えて、前記第２の選択手段により選択された特定の画像を記録するように制御することを特徴とする。
【００１０】
また、請求項５記載の発明は、上記請求項４記載の発明において、前記撮像手段により撮像される画像について、この画像が撮像されたときの時間情報を取得し、前記撮像された画像と対応付ける時間情報取得手段を更に備え、前記記録制御手段は、前記時間情報取得手段によって取得された時間情報に基づいて、前記第１の記録手段によって記録された複数の画像から前記特定の画像に代えて記録されるべき画像を選択して記録するように制御することを特徴とする。
【００１１】
また、請求項６記載の発明は、上記請求項１乃至５のいずれかに記載の発明において、前記第１の記録手段によって記録された複数の画像を、撮像されたときの時間情報に基づいてレイアウト表示する表示手段と、前記記録制御手段によって記録される画像に時間情報が対応付けられているときは、この時間情報に基づいて前記表示されたレイアウトを変更するよう制御する表示制御手段とを更に備えることを特徴とする。
【００１２】
また、請求項７記載の発明は、撮像装置が有するコンピュータを、撮像される画像の記録を指示する指示手段、この設定手段による設定の後、前記指示手段により画像の記録が指示される毎に撮像される画像を一組の情報として記録させる第１の記録手段、前記設定手段による設定の後、撮像される画像を順次記録させる第２の記録手段、前記第１の記録手段、および、前記第２の記録手段による記録の後、前記第１の記録手段によって記録された画像に代えて、前記第２の記録手段によって順次記録された画像の何れかを記録するように制御する記録制御手段として機能させることを特徴とする。
【発明の効果】
【００１３】
本発明によれば、所望の画像を他の画像と組にして再記録することができる。
【発明を実施するための最良の形態】
【００１４】
以下、本発明の一実施の形態を図に従って説明する。
（第１の実施の形態）
図１は、本発明の一実施の形態に係るデジタルカメラ１の回路構成を示すブロック図である。図に示すように、このデジタルカメラ１の本体２には、シャッターキー３が設けられており、このシャッターキー３は、操作入力部４とともに入力回路５０に接続されている。操作入力部４は、シャッターキー３以外の後述するフローチャートにおいて説明するモードスイッチ等のスイッチ群で構成され、このスイッチ群及び前記各スイッチのオン・オフ情報は、入力回路５０を介して、制御回路６に与えられる。制御回路６は、ＣＰＵ及びその周辺回路と、ＣＰＵの作業用メモリであるＲＡＭ等から構成されるマイクロコンピュータであり、各部を制御する。
【００１５】
この制御回路６には、表示メモリ６０、計時回路６１、表示駆動ブロック７、画像バッファメモリ８、画像信号処理部９、圧縮符号化／伸長復号化部１０、静止画画像メモリ１１、プログラムメモリ１２、データメモリ１３、外部メモリインタフェース１４及び動画画像メモリ１５が接続されている。表示メモリ６０には、表示部５に表示される各種表示データが一時的に記憶される。表示駆動ブロック７は、前記表示部５を駆動し、画像バッファメモリ８は、画像データを処理する際等において当該画像データ等を一時的に格納する。
【００１６】
画像信号処理部９は、後述する撮像素子から制御回路６が取り込んだ画像信号に対する各種処理を実行するＤＳＰからなる。圧縮符号化／伸長復号化部１０は、この画像信号処理部で処理された画像データを記録時には伸長処理し、記録した画像データを再生する際には伸長復号化する。静止画画像メモリ１１は、シャッターキー３の操作により撮像された画像データ（静止画データ）や後述するレイアウト画像データを記録保存する。プログラムメモリ１２は、後述するフローチャートに示す制御回路６の制御プログラムを格納しており、データメモリ１３は後述する複数種のテンプレートが予め格納されている。外部メモリインタフェース１４は、着脱自在な外部メモリ１６に接続されており、動画画像メモリ１５は、動画データを記録保存する。
【００１７】
さらに、制御回路６には、撮影制御ブロック１７が接続されている。この撮影制御ブロック１７には、焦点制御ブロック１８、ズーム制御ブロック１９、絞り制御ブロック２０、シャッター制御ブロック２１、Ａ／Ｄ回路２２、ＣＤＳ／ＡＧＣ２３、タイミング制御＆ドライバ２４、露出制御ブロック２５、測距制御ブロック２６、及びフラッシュ制御ブロック２７が接続されている。焦点制御ブロック１８は、被写体像を合焦させるべく撮像レンズ３３を駆動するレンズ駆動ブロック２８を制御し、ズーム制御ブロック１９は、ズーム操作に応じて被写体像を拡大または縮小すべく、撮像レンズ３３を駆動するレンズ駆動ブロック２９を制御する。
【００１８】
絞り制御ブロック２０は、撮像レンズ３３とＣＣＤからなる撮像素子３０との間に配置された絞り３１を制御し、シャッター制御ブロック２１は、絞り３１と撮像素子３０との間に配置されたシャッター３２を制御する。Ａ／Ｄ回路２２は、ＣＤＳ／ＡＧＣ２３を介して撮像素子３０より入力されるアナログ画像信号をデジタル信号に変換する。タイミング制御＆ドライバ２４は、タイミング信号を発生してＣＣＤからなる撮像素子３０とＣＤＳ／ＡＧＣ２３とを駆動する。ＣＤＳ／ＡＧＣ２３は、撮像素子３０から出力された撮像信号を保持するＣＤＳと、ＣＤＳから撮像信号を供給されるアナログアンプであるゲイン調整アンプ（ＡＧＣ）とからなる。露出制御ブロック２５は、測光、測距センサ３４を制御するとともに、この測光、測距センサ３４からの測光信号を処理して制御回路６に入力し、測距制御ブロック２６は測距信号を処理して制御回路６に入力する。フラッシュ制御ブロック２７は、フラッシュ３５を駆動するフラッシュ駆動ブロック３６を制御する。
【００１９】
前記データメモリ１３には、図４（Ａ）に一例を示したテンプレート４０が複数種記憶されている。このテンプレート４０は、複数の表示領域４１とこの表示領域以外の部分であるマスキング部４２とからなる画像データであって、各表示領域４１には初期値１からの連続番号が付されている。つまり、図４（Ａ）に示したテンプレート４０においては、上部に第１表示領域４１−１と第２表示領域４１−２を有し、下部中央に第３表示領域４１−３を有する構成である。そして、データメモリ１３には、これら表示領域４１の数や配置レイアウトが異なる複数種のテンプレート４０が予め記憶されている。
【００２０】
以上の構成に係る本実施の形態において、制御回路６はプログラムメモリ１２に格納されているプログラムに基づき、図３及び図４に示す一連のフローチャートに従って処理を実行する。先ず、ユーザによる操作入力部４での操作により、レイアウトショットモードが設定されているか否かを判断する（ステップＳ１０１）。レイアウトショットモードが設定されていない場合には、通常撮影モード処理等のその他のモード処理を実行する（ステップＳ１０２）。
【００２１】
レイアウトショットモードが設定されている場合には、テンプレート選択画面表示処理を実行して、データメモリ１３に記憶されている複数種のテンプレートを表示部５に縮小表示する（ステップＳ１０３）。そして、ユーザによる操作入力部４での操作により、この表示した複数種のテンプレートからいずれかが選択されたか否かを判断し（ステップＳ１０４）、選択されたならば、当該選択されたテンプレートを表示部５に全画面表示する（ステップＳ１０５）。したがって、このステップＳ１０５での処理により、図４（Ａ）に示すように、例えば第１〜第３表示領域４１−１〜１４−３を有するテンプレート４０が表示部５に全画面表示されることとなる。
【００２２】
次に、カウント値Ｎに初期値「１」を設定し（ステップＳ１０６）、このカウント値Ｎにより指定される第Ｎ番の表示領域にスルー画像を表示させる（ステップＳ１０７）。無論、このスルー画像の表示に際しては、測光処理、ＷＢ処理、ＡＦ処理等を実行する。したがって、Ｎ＝１であるとすると、図４（Ｂ）に示すように、第１表示領域４１−１にＷＢ処理、ＡＦ処理されたスルー画像Ｔ１が表示されることとなる。
【００２３】
このように、本実施の形態においてテンプレート４０を表示させて、その表示領域内にスルー画像を表示させることから、ユーザは撮影後に生成されるレイアウト画像を明確にイメージしながら撮影を行うことができる。なお、図４の各表示領域４１においては、画像に斜線を付すことによりスルー画像（Ｔ）であることを示し、斜線のない画像により静止画（プレビュー画像（Ｐ））であることを示す。
【００２４】
そして、第１表示領域４１−１にスルー画像Ｔ１を表示したならば、動画記録を開始する（ステップＳ１０８）。すなわち、撮像素子３０から所定のフレームレート、例えば３０ｆｐｓで出力されるフレーム画像データを取得して順次動画画像メモリ１５に動画データとして記憶する処理を開始する。このとき、各フレーム画像データには、取得した時の時間情報（動画記録を開始した時点から経過時間情報、あるいは取得時点の時間情報）を付加して記録する。
【００２５】
このように、撮像素子３０から所定のフレームレートで出力されるフレーム画像データを動画データとして記録することにより、ユーザが意図するシャッターチャンスの画像を確実に含んで再記録することができる。
【００２６】
次に、シャッターキー３が操作されるまで待機する（ステップＳ１０９）。この間、ユーザは第１表示領域４１−１に表示されているスルー画像Ｔ１を見ながら、シャッターチャンスを窺う。そして、シャッターチャンスとなった時点でシャッターキー３を押下すると、ステップＳ１０９の判断がＹＥＳとなる。したがって、ステップＳ１０９からステップＳ１１０に進み、スルー画像の表示を停止させるとともに、シャッターキー３を押下した時点でスルー画像Ｔ１として表示されていた画像データに基づき静止画データを生成する（ステップＳ１１０）。引き続き、この生成した静止画データを静止画画像メモリ１１に記録する（ステップＳ１１１）。この静止画データの記録に際しては、前述した動画データの記録と同様に、当該静止画データを取得した時の時間情報（動画記録を開始した時点から経過時間情報、あるいは取得時点の時間情報）を計時回路６１から取得して、付加し、記録する。さらに、前記静止画データに基づき、第Ｎ表示領域にプレビュー画像を表示させる（ステップＳ１１２）。したがって、現時点がＮ＝１であるとすると、図４（Ｃ）に示すように、先程までスルー画像Ｔ１が表示されていた第１表示領域４１−１にプレビュー画像Ｐ１が表示されることとなる。
【００２７】
次に、Ｎ＝表示領域数となったか否かを判断する（ステップＳ１１３）。本例において表示領域数＝３であることから、Ｎ≠３であるならば、Ｎの値をカウントアップさせて（ステップＳ１１４）、ステップＳ１０７からの処理を繰り返す。したがって、本例においては、Ｎ＝表示領域数（Ｎ＝３）となるまでに、ステップＳ１０７からの処理が３回繰り返される。そして、Ｎ＝２の時点においては、図４（Ｄ）に示すように、第１表示領域４１−１にプレビュー画像Ｐ１が表示されている状態で、ステップＳ１０７での処理により、第２表示領域４１−２にスルー画像Ｔ２が表示される。更にシャッターキー３が操作されると、ステップＳ１１２で処理により、図４（Ｅ）に示すように、第１表示領域４１−１にプレビュー画像Ｐ１が表示され、かつ、第２表示領域４１−２にプレビュー画像Ｐ２が表示された状態に移行する。
【００２８】
また、Ｎ＝３の時点においては、図４（Ｆ）に示すように、第１表示領域４１−１にプレビュー画像Ｐ１が表示され、かつ、第１表示領域４１−２にプレビュー画像Ｐ２が表示されている状態で、ステップＳ１０７での処理により、第３表示領域４１−３にスルー画像Ｔ３が表示される。更にシャッターキー３が操作されると、ステップＳ１１２での処理により、図４（Ｇ）に示すように、第１表示領域４１−１にプレビュー画像Ｐ１が、第２表示領域４１−２にプレビュー画像Ｐ２が、第３表示領域４１−３にプレビュー画像Ｐ３が各々表示された状態に移行する。
【００２９】
したがって、静止画データに関しては、Ｎ＝３となるまでに３回繰り返されるステップＳ１１０及びＳ１１１での処理により、プレビュー画像Ｐ１、Ｐ２、Ｐ３に対応する静止画データが静止画画像メモリ１１に記録されることとなる。
【００３０】
そして、Ｎ＝表示領域数となってステップＳ１１３の判断がＹＥＳとなったならば、ステップＳ１１３から、図３のステップＳ１１５に進み、所定時間後に動画記録を終了する。つまり、Ｎ＝表示領域数となって、プレビュー画像Ｐ１、Ｐ２、Ｐ３に対応する静止画データが静止画画像メモリ１１に保存された時点で即時に動画記録を終了するのではなく、最後のプレビュー画像Ｐ３が保存された後も数秒程度動画記録を継続し、しかる後に動画記録を終了する。これにより、最後のプレビュー画像Ｐ３に対しても時間的に前のみならず後の動画データを動画画像メモリ１５に保存することができる。
【００３１】
なお、本実施の形態においては、ステップＳ１０８で動画記録を開始した時点からステップＳ１１５で動画記録を終了した時点までの、全てのフレーム画像を動画データとして動画画像メモリ１５に記録するようにした。しかし、プレビュー画像Ｐ１、Ｐ２、Ｐ３に対応する静止画データはステップＳ１１１の処理で静止画画像メモリ８に保存されることから、これらプレビュー画像Ｐ１、Ｐ２、Ｐ３に対応する静止画データを除く動画データを動画画像メモリ１５に記録するようにしてもよい。
【００３２】
これにより、プレビュー画像Ｐ１、Ｐ２、Ｐ３に対応する画像データが重複して、静止画画像メモリ８と動画画像メモリ１５とに記録される不都合を回避して、メモリの効率的な使用が可能となる。
【００３３】
引き続き、レイアウト画像データの生成、つまり図４（Ｇ）に示すように、テンプレート４０と、このテンプレート４０の第１〜第３表示領域４１−１〜４１−３にプレビュー画像Ｐ１、Ｐ２、Ｐ３が表示されたレイアウト画像４３に対応する画像データを生成して、静止画画像メモリ１１に記録する（ステップＳ１１６）。
【００３４】
次に、表示部５の画面を垂直方向に２分割する（ステップＳ１１７）。このステップＳ１１７での処理より、図５（Ａ）に示すように、表示部５の画面は左画面部５１と右画面部５２とに２分割される。引き続き、この２分割した左画面部５１にレイアウト画像を表示する（ステップＳ１１８）。このステップＳ１１８での処理により、図５（Ｂ）に示すように、前記ステップＳ１１６で生成されたプレビュー画像Ｐ１、Ｐ２、Ｐ３を有するレイアウト画像４３が左画面部５１に表示されることとなる。
【００３５】
更に、ユーザによる操作入力部４での操作により、表示されたレイアウト画像４３においていずれかのプレビュー画像Ｐ１、Ｐ２、Ｐ３が選択されたか否かを判断する（ステップＳ１１９）。このとき、ユーザは、このレイアウト画像４３内のプレビュー画像Ｐ１、Ｐ２、Ｐ３を見て、これら画像が意図したシャッターチャンスの画像であるか否かを確認する。そして、意図したシャッターチャンスでないプレビュー画像がある場合には、当該画像を操作入力部４での操作により選択する。これにより、ステップＳ１１９の判断がＹＥＳとなり、ステップＳ１１９からステップＳ１２０に進んで、選択されたプレビュー画像を基点にして前後所定時間内の動画フレーム画像を右画面部５２に一覧表示する。
【００３６】
すなわち、前述のようにプレビュー画像Ｐ１、Ｐ２、Ｐ３は時間情報が付加されて静止画画像メモリ８に記録されており、また、動画の各フレーム画像も各々時間情報が付加されて動画画像メモリ１５に記録されている。したがって、例えばプレビュー画像Ｐ１が選択されたとすると、このプレビュー画像Ｐ１を基点として、時間的にこれより前に撮影された動画フレーム画像Ｐ１＋１、Ｐ１＋２、Ｐ１＋３・・・、及び後に撮影された動画フレーム画像Ｐ１−１、Ｐ１−２、Ｐ１−３・・・を動画画像メモリ１５にて検索することができる。そして、図５（Ｃ）に示すように、この検索したプレビュー画像Ｐ１よりも時間的に前のフレームＰ１＋１、Ｐ１＋２、Ｐ１＋３・・・と、後の動画フレーム画像Ｐ１−１、Ｐ１−２、Ｐ１−３・・・とを右画面部５２に一覧表示する。
【００３７】
ユーザは、この右画面部５２に表示されたプレビュー画像Ｐ１よりも時間的に前のフレームＰ１＋１、Ｐ１＋２、Ｐ１＋３・・・と、後の動画フレーム画像Ｐ１−１、Ｐ１−２、Ｐ１−３・・・とを見て、その中に意図したシャッターチャンスの画像があるか否かを確認する。
【００３８】
このとき、時間的に隣接する複数の動画フレーム画像Ｐ１＋１、Ｐ１＋２、Ｐ１＋３・・・と、Ｐ１−１、Ｐ１−２、Ｐ１−３・・・が一覧表示されていることから、時間的に隣接する画像の相違を精度よく見分けることができ、その結果、精度よくシャッターチャンスの画像を選択することができる。
【００３９】
しかも、表示される動画フレーム画像Ｐ１＋１、Ｐ１＋２、Ｐ１＋３・・・と、Ｐ１−１、Ｐ１−２、Ｐ１−３・・・は、選択されたプレビュー画像Ｐ１と時間的に近接する画像であるから、プレビュー画像Ｐ１に代わってよりシャッターチャンスの画像となる確率が高く、効率的にシャッターチャンスの画像の画像を選択することができる。
【００４０】
そして、表示された動画フレーム画像中に意図したシャッターチャンスの画像がない場合には、操作入力部４にてスクロール操作を行う。これにより、ステップＳ１２１の判断がＹＥＳとなり、ステップＳ１２１からステップＳ１２２に進み、右画面部５２の動画フレーム画像をスクロール表示させる。
【００４１】
そして、右画面部５２に意図するシャッターチャンスの画像が表示された時点で、操作入力部４での操作により複数の動画フレーム画像からシャッターチャンスの動画フレーム画像を選択する。これにより、ステップＳ１２３の判断がＹＥＳとなり、ステップＳ１２３からステップＳ１２４に進み、レイアウト画像内のステップＳ１１９で選択された画像をステップＳ１２３で選択された動画フレーム画像に変更する。
【００４２】
したがって、図６（Ｄ）に示すように、ユーザがレイアウト画像４３からプレビュー画像Ｐ１を選択した後、動画フレーム画像Ｐ１−３を選択したとすると、図６（Ｅ）に示すように、レイアウト画像４３においてプレビュー画像Ｐ１に代わって動画フレーム画像Ｐ１−３がプレビュー画像に書き換えられて、静止画画像メモリ８内にて更新される。
【００４３】
これにより、所望の画像Ｐ１−３が含まれた複数の画像からなるレイアウト画像４３を一組の情報として再記録することができる。
【００４４】
しかも、本実施の形態においては、後述する第２の実施の形態とは異なり、先にレイアウト画像４３内のプレビュー画像を選択することから、ユーザが意図するシャッターチャンスではない画像を、よりシャッターチャンスである画像に変更することができる。
【００４５】
また、ステップＳ１２４に続くステップＳ１２５においては、操作入力部４にてユーザにより確定操作がなされたか否かを判断し、確定操作がなされるまでステップＳ１１９からの処理を繰り返す。確定操作がなされたならば、プレビュー画像が変更された静止画画像メモリ１１内のレイアウト画像データを外部メモリ１６に保存するとともに（ステップＳ１２６）、動画画像メモリ１５内の動画データも外部メモリ１６に保存して（ステップＳ１２７）、処理を終了する。
【００４６】
（第２の実施の形態）
図７は、本発明の第２の実施の形態における処理手順の要部を示すフローチャートである。すなわち、本実施の形態においても、第１の実施の形態と同様に、図１に示したステップＳ１０１〜Ｓ１１４の処理を実行する。そして、Ｎ＝表示領域数となってステップＳ１１３の判断がＹＥＳとなったならば、ステップＳ１１３から、図７のステップＳ２１５に進み、所定時間後に動画記録を終了する。
【００４７】
引き続き、レイアウト画像データの生成、つまり図４（Ｇ）に示すように、テンプレート４０と、このテンプレート４０の第１〜第３表示領域４１−１〜４１−３にプレビュー画像Ｐ１、Ｐ２、Ｐ３が表示されたレイアウト画像４３に対応する画像データを生成して、静止画画像メモリ１１に記録する（ステップＳ２１６）。
【００４８】
次に、表示部５の画面を垂直方向に２分割する（ステップＳ２１７）。このステップＳ２１７での処理より、図５（Ａ）に示すように、表示部５の画面は左画面部５１と右画面部５２とに２分割される。引き続き、この２分割した左画面部５１にレイアウト画像を表示する（ステップＳ２１８）。このステップＳ２１８での処理により、図８（Ａ）に示すように、前記ステップＳ２１６で生成されたプレビュー画像Ｐ１、Ｐ２、Ｐ３を有するレイアウト画像４３が左画面部５１に表示されることとなる。
【００４９】
更に、右画面部５２に動画画像メモリ１５内に記録されている動画データに基づく動画をコマ送り再生する（ステップＳ２１９）。このステップＳ２１９での処理により、図８（Ｂ）に示すように、右画面部５２には動画データを構成する各動画フレーム画像ＰＸが順次再生表示される。このとき、ユーザは、コマ送り表示される動画フレーム画像ＰＸとレイアウト画像４３内のプレビュー画像Ｐ１、Ｐ２、Ｐ３とを見比べて、動画フレーム画像ＰＸがより意図するシャッターチャンスの画像であるか否かを判定する。
【００５０】
そして、より意図するシャッターチャンスの動画フレーム画像が右画面部５２に表示された時点で、操作入力部４での操作により、当該動画フレーム画像を選択する。これにより、ステップＳ２２０の判断がＹＥＳとなり、ステップＳ２２０からステップＳ２２１に進みコマ送り再生を停止する。したがって、図８（Ｃ）に示すように、動画フレーム画像Ｐ１−３が表示された時点で選択操作を行うと、当該動画フレーム画像Ｐ１−３が表示された状態でコマ送り再生が停止する。
【００５１】
次に、この選択された動画フレーム画像と時間的に最も近接するレイアウト画像のプレビュー画像を反転表示させる（ステップＳ２２２）。したがって、動画フレーム画像Ｐ１−３と時間的に最も近接するプレビュー画像がレイアウト画像４３内のプレビュー画像Ｐ１であるとすると、図８（Ｃ）に示すように、プレビュー画像Ｐ１が反転表示される。
【００５２】
引き続き、ユーザによる操作入力部４での操作により、表示されたレイアウト画像４３においていずれかのプレビュー画像Ｐ１、Ｐ２、Ｐ３が選択されたか否かを判断する（ステップＳ２２３）。このとき、ユーザは、反転表示されているプレビュー画像Ｐ１を見て、このプレビュー画像Ｐ１よりも動画フレーム画像Ｐ１−３の方がよりシャッターチャンスの画像である場合には、プレビュー画像Ｐ１を選択する。これにより、ステップＳ２２３の判断がＹＥＳとなり、ステップＳ２２３からステップＳ２２４に進み、レイアウト画像内のステップＳ２２３で選択された画像をステップＳ２２０で選択された動画フレーム画像に変更する。
【００５３】
したがって、ユーザがコマ送り再生された動画フレーム画像Ｐ１−３を選択した後、レイアウト画像４３から反転表示されたプレビュー画像Ｐ１を選択したとすると、図９（Ｄ）に示すように、レイアウト画像４３においてプレビュー画像Ｐ１に代わって動画フレーム画像Ｐ１−３がプレビュー画像に書き換えられて、静止画画像メモリ８内にて更新される。これにより、所望の画像Ｐ１−３が含まれた複数の画像からなるレイアウト画像４３を一組の情報として再記録することができる。
【００５４】
しかも、本実施の形態においては、前述した第１の実施の形態とは異なり、先に動画フレーム画像を選択することから、最もシャッターチャンスであるフレーム画像を選択して、これをレイアウト画像に含ませることができる。また、反転表示されるプレビュー画像は、選択された動画フレーム画像と時間的に近接する画像であるから、書き換え対象となるプレビュー画像を効率良く選択することができる。
【００５５】
また、ステップＳ２２４に続くステップＳ２２５においては、操作入力部４にてユーザにより確定操作がなされたか否かを判断し、確定操作がなされるまでステップＳ２１９からの処理を繰り返す。確定操作がなされたならば、コマ送り再生を終了するとともに（ステップＳ２２６）、プレビュー画像が変更された静止画画像メモリ１１内のレイアウト画像データを外部メモリ１６に保存して（ステップＳ２２７）、処理を終了する。
【００５６】
なお、以上の説明においては、ユーザが反転表示されたレイアウト画像４３内のプレビュー画像Ｐ１を選択した場合を示したが、反転表示されていない他のプレビュー画像Ｐ２、Ｐ３を選択した場合にも、ステップＳ２２３の判断はＹＥＳとなる。したがって、ステップＳ２２３からステップＳ２２４に進み、レイアウト画像内の選択されたプレビュー画像が選択された動画フレーム画像に書き換えられる。よって、反転表示されたプレビュー画像に限らず、レイアウト画像４３中の任意のプレビュー画像を動画フレーム画像においてユーザが意図するシャッターチャンスの画像に変更することができる。
【００５７】
（第３の実施の形態）
図１０は、本発明の第３の実施の形態における処理手順の要部を示すフローチャートである。すなわち、本実施の形態においても、第１の実施の形態と同様に、図１に示したステップＳ１０１〜Ｓ１１４の処理を実行する。そして、Ｎ＝表示領域数となってステップＳ１１３の判断がＹＥＳとなったならば、ステップＳ１１３から、図１０のステップＳ３１５に進み、所定時間後に動画記録を終了する。
【００５８】
また、図１０のフローチャートにおいて、ステップＳ３１５〜Ｓ３２４の処理は、図３に示した第１の実施の形態のステップＳ１１５〜Ｓ１２４の処理と同一であるので、説明は省略する。そして、ステップＳ３２５においては、その前のステップＳ３２４で変更されたレイアウト画像４３内のプレビュー画像の時間情報と、動画フレーム画像の時間情報とを取得する（ステップＳ３２５）。更に、これらの時間情報に基づいてレイアウト画像内のプレビュー画像の位置を調整する（ステップＳ３２６）。
【００５９】
つまり、図１１（Ａ）に示す変更前のレイアウト画像４３におけるプレビュー画像Ｐ２を、図１１（Ｂ）に示すフレーム画像Ｐ２−２（プレビュー画像Ｐ２よりも時間的に後の画像）に変更したとすると、ステップＳ３２５では、プレビュー画像Ｐ２の時間情報とフレーム画像Ｐ２−２の時間情報とを取得する。そして、ステップＳ３２６では、これら時間情報の差を求めて、この差に応じて変更した画像Ｐ２−２の位置を左右方向に調整する。このとき、変更した新たな画像であるフレーム画像Ｐ２−２は、変更前のプレビュー画像Ｐ２よりも時間的に後の画像であるから、変更前のプレビュー画像Ｐ２の表示位置よりも時間差に応じて右側にシフトして配置する。
【００６０】
また、図１１（Ａ）に示す変更前のレイアウト画像４３におけるプレビュー画像Ｐ３を、図１１（Ｂ）に示すフレーム画像Ｐ３＋２（プレビュー画像Ｐ２よりも時間的に前の画像）に変更したとすると、ステップＳ３２５では、プレビュー画像Ｐ３の時間情報とフレーム画像Ｐ３＋２の時間情報とを取得する。そして、ステップＳ３２６では、これら時間情報の差を求めて、この差に応じて変更した画像Ｐ３＋２の位置を左右方向に調整する。このとき、変更した新たな画像であるフレーム画像Ｐ３＋２は、変更前のプレビュー画像Ｐ３よりも時間的に前の画像であるから、変更前のプレビュー画像Ｐ２の表示位置よりも時間差に応じて左側にシフトして配置する。
【００６１】
これにより、修正後のレイアウト画像４４が完成することとなる。この修正後のレイアウト画像４４にあっては、修正前の画像と時間差に応じて画像位置が変位していることから、この変位により、各画像の時間的関係を把握することが容易となる。
【００６２】
そして、ステップＳ３２６に続くステップＳ３２７においては、操作入力部４にてユーザにより確定操作がなされたか否かを判断する。確定操作がなされたならば、プレビュー画像が変更され、位置調整された静止画画像メモリ１１内のレイアウト画像データを外部メモリ１６に保存するとともに（ステップＳ３２８）、動画画像メモリ１５内の動画データも外部メモリ１６に保存して（ステップＳ３２９）、処理を終了する。
【００６３】
なお、本実施の形態においては、図２のフローチャートに示したように、テンプレートにおけるスルー画像の表示領域及びプレビュー画像の配置領域を自動的に変更するようにしたが、ユーザの選択操作に応じてスルー画像の表示領域及びプレビュー画像の配置領域を変更するようにしてもよい。また、実施の形態においては、テンプレートを表示してその表示領域内にスルー画像を表示するようにしたが、テンプレートは表示させることなく、スルー画像を全画面表示し、シャッターキーの操作に応じた内部処理により、テンプレートの各表示領域にプレビュー画像を合成していくようにしてもよい。また、本実施の形態においては、静止画データやレイアウト画像データを記録保存する静止画画像メモリ１１と、動画を記録保存する動画画像メモリ１５を個別に設けて画像を記録保存するようにしているが、これらのメモリを一つのメモリデバイスとし、その中において静止画画像記録保存領域、動画画像記録保存領域を設定するようにしてもよい。また、実施の形態において、図１に示した回路構造のデジタルカメラ１に本発明を適用するようにしたが、これに限ることなく、撮影機能を備えた携帯電話等の撮影機能を有する電子機器に適用することもできる。
【図面の簡単な説明】
【００６４】
【図１】本発明の一実施の形態に係るデジタルカメラの回路構成を示すブロック図である。
【図２】本発明の各実施の形態に共通する処理手順を示すフローチャートである。
【図３】本発明の第１の実施の形態における処理手順を示す要部フローチャートである。
【図４】本発明の各実施の形態に共通する表示遷移図である。
【図５】本発明の第１の実施の形態における表示遷移図である。
【図６】図５に続く表示遷移図である。
【図７】本発明の第２の実施の形態における処理手順を示す要部フローチャートである
【図８】本発明の第２の実施の形態における表示遷移図である。
【図９】図８に続く表示遷移図である。
【図１０】本発明の第３の実施の形態における処理手順を示す要部フローチャートである。
【図１１】本発明の第３の実施の形態における表示遷移図である。
【符号の説明】
【００６５】
１    デジタルカメラ
３    シャッターキー
４    操作入力部
５    ＬＣＤファインダー
６    制御回路
７    表示駆動ブロック
８    画像バッファメモリ
９    画像信号処理部
１１    静止画メモリ
１２    プログラムメモリ
１３    データメモリ
１５    ＬＣＤファインダー
１６    外部メモリ
２２    Ａ／Ｄ回路
２３    ＣＤＳ／ＡＧＣ
２４    ドライバ
３０    撮像素子
Ｔ１〜Ｔ３    スルー画像
Ｐ１〜Ｐ３    プレビュー画像
【図１】
2008211705.tif 000003
【図２】
2008211705.tif 000004
【図３】
2008211705.tif 000005
【図４】
2008211705.tif 000006
【図５】
2008211705.tif 000007
【図６】
2008211705.tif 000008
【図７】
2008211705.tif 000009
【図８】
2008211705.tif 000010
【図９】
2008211705.tif 000011
【図１０】
2008211705.tif 000012
【図１１】
2008211705.tif 000013